(57)【要約】【課題】２段曲げ成形方法により、湾曲状チャンネル部を含むチャンネル部材を曲げ成形する際に、負方向のねじれを抑制する。また、湾曲外側の縦壁部に生じる折れ筋やしわ痕の発生を抑制する。【解決手段】本発明の成形方法は、湾曲状チャンネル部１ｃを備えたチャンネル部材を成形するに際し、まずその仮成形体を第１成形し、次いで前記仮成形体を第２成形する２段曲げ成形方法である。前記仮成形体は、仮横壁部１１ａと仮縦壁部１２ａとのなす角θｐａがチャンネル部材の横壁部と縦壁部とのなす角θｐよりも大きく設定される。また、前記θｐａの内、仮湾曲状チャンネル部１ｃａの湾曲外側の仮第１曲げ部１４ａｏの曲げ角βｃが仮直線状チャンネル部１ｓａの湾曲外側の仮第１曲げ部１４ａｏの曲げ角βｓよりも小さく設定される。（βｓ−βｃ）は１０°以上に設定することが好ましい。【選択図】  図１２
2009241109.tif 000002
【特許請求の範囲】
【請求項１】
横壁部の両側に第１曲げ部を介して縦壁部が形成され、前記縦壁部の他端に第２曲げ部を介してフランジ部が形成された横断面形状を有し、断面中心線が湾曲状とされた湾曲状チャンネル部を備えたチャンネル部材の曲げ成形方法であって、
前記チャンネル部材の横壁部、第１曲げ部、縦壁部、第２曲げ部及びフランジ部にそれぞれ対応する仮横壁部、仮第１曲げ部、仮縦壁部、仮第２曲げ部及び仮フランジ部を有し、前記仮横壁部と仮縦壁部とのなす角θｐａが前記横壁部と縦壁部とのなす角θｐよりも大きく設定された仮成形体を金属素板から曲げ成形する第１成形工程と、
前記仮成形体から前記チャンネル部材を曲げ成形する第２成形工程を備え、
前記仮成形体は、前記チャンネル部材の湾曲状チャンネル部に対応した前記仮成形体の仮湾曲状チャンネル部の中央部における湾曲の径方向外側の仮横壁部と仮縦壁部とのなす角βｃが前記仮湾曲状チャンネル部の周方向端部における湾曲の径方向外側の仮横壁部と仮縦壁部とのなす角βｅよりも小さく設定された、チャンネル部材の曲げ成形方法。
【請求項２】
さらに、前記仮成形体は、前記仮湾曲状チャンネル部の湾曲の径方向内側における仮縦壁部あるいはさらに仮フランジ部に湾曲の周方向断面が凹凸形状とされたビードが成形された、請求項１に記載したチャンネル部材の曲げ成形方法。
【請求項３】
前記チャンネル部材は、前記湾曲状チャンネル部の両側に断面中心線が直線状とされた直線状チャンネル部を有し、前記仮成形体は前記直線状チャンネル部に対応した前記仮成形体の仮直線状チャンネル部における湾曲の径方向外側の仮横壁部と仮縦壁部とのなす角をβｓとするとき、前記βｅが前記βｓよりも小さく設定された、請求項１又は２に記載したチャンネル部材の曲げ成形方法。
【請求項４】
横壁部の両側に第１曲げ部を介して縦壁部が形成され、前記縦壁部の他端に第２曲げ部を介してフランジ部が形成された横断面形状を有し、断面中心線が湾曲状とされた湾曲状チャンネル部を備えたチャンネル部材の曲げ成形方法であって、
前記チャンネル部材の横壁部、第１曲げ部、縦壁部、第２曲げ部及びフランジ部にそれぞれ対応する仮横壁部、仮第１曲げ部、仮縦壁部、仮第２曲げ部及び仮フランジ部を有し、前記仮横壁部と仮縦壁部とのなす角θｐａが前記横壁部と縦壁部とのなす角θｐよりも大きく設定された仮成形体を金属素板から曲げ成形する第１成形工程と、
前記仮成形体から前記チャンネル部材を曲げ成形する第２成形工程を備え、
前記仮成形体は前記仮湾曲状チャンネル部の湾曲の径方向内側における仮縦壁部あるいはさらに仮フランジ部に湾曲の周方向断面が凹凸形状とされたビードが成形された、チャンネル部材の曲げ成形方法。
【発明の詳細な説明】
【技術分野】
【０００１】
本発明は、自動車などの各種輸送機の車体や産業機械類の機体などの構造部材として用いられる湾曲状チャンネル部を有するチャンネル部材の曲げ成形方法に関し、特に曲げ成形に際して生じる成形部材のねじれを抑制する方法に関する。
【背景技術】
【０００２】
近年、燃費の向上、環境への配慮、安全性の向上などを企図して、自動車の車体や部品の強化と軽量化が推し進められている。その手段の一つとして車体構造部材（フレーム部材、メンバー部材）やパネル類（外板、内板）などに対して鋼板の高強度化（ハイテン化）やアルミニウム合金板等の軽量材への転換が進められている。
【０００３】
前記構造部材の代表的断面形状としては、図１に示すように、横断面形状が横壁部（ウェブ）１１と、前記横壁部１１の両端に第１曲げ部１４を介して屈曲形成された縦壁部１２と、各縦壁部２２の他端に第２曲げ部１５を介して屈曲形成されたフランジ部１３を備え、横断面（垂直断面）の中心を連ねた線が直線状となっているハット形のチャンネル部材（このようなチャンネル部材を「直線状チャンネル部材」という。）１ｓが知られている。
【０００４】
前記直線状チャンネル部材１ｓの最終成形目標形状（製品の設計形状）は、その横断面形状によって特定される。すなわち、図１に示すように、幅（縦壁部１２の内幅）Ｗ、高さ（フランジ部１３の下面から横壁部１１の下面までの高さ）Ｈ、フランジ部１３の幅Ｌｆ（フランジ部の先端から第２曲げ部のフランジ側曲げ止め端までの長さ）、第１曲げ部１４の曲げ半径ｒｐ、第２曲げ部１５の曲げ半径ｒｄ、横壁部１１と縦壁部１２とのなす角（以下、「第１曲げ部の曲げ角」という。）θｐ、縦壁部１２とフランジ部１３とのなす角（以下、「第２曲げ部の曲げ角」という。）θｄによって特定される。通常、θｐ、θｄは直角に設定されるが、θｐは鈍角に設定され、縦壁部１２が傾斜状に形成される場合もある。なお、横壁部の幅Ｗ' は、両側の第１曲げ部の曲げ止め端の間の長さ（Ｗ’＝Ｗ−２ｒｐ）を意味する。
【０００５】
前記直線状チャンネル部材１ｓは、通常、絞り成形（ドロー成形）あるいは曲げ成形（フォーム成形）によって成形される。図２は、前記チャンネル部材の絞り成形の説明図であり、パンチ３１の上平坦部に載置された金属素板（ブランク）Ｂは、パッド３２によってパンチ３１の上平坦部で位置がずれないように保持され、ダイ３３の下平坦部と板押さえ３４との間に挟持される。そして、ダイ３３を板押さえ３４の押圧力に抗して下方に移動させることにより、パンチ３１とダイ３３との協働によってブランクＢはハット形チャンネルに成形される。
【０００６】
図３は、前記ハット形チャンネル部材１ｓの曲げ成形の説明図であり、パンチ３１の上平坦部に載置されたブランクＢは、パッド３２によってパンチ３１の上平坦部で位置がずれないように保持される。この状態でダイ３３を下方に移動させると、パンチ３１とダイ３３との協働によって、縦壁部１２が成形され、成形終了時点（下死点）でダイ３３の下平坦部とフランジ成形部３５との間でフランジ部１３が成形される。
【０００７】
図２および図３では、プレス開始時において、パンチ３１がダイ３３の下方に配置され、成形過程でダイ３３をパンチ３１側へ移動させることでブランクを成形したが、これとは上下逆に、パンチをダイの上方に配置し、成形過程でダイをパンチ側へ上昇させて成形する場合もある。また、図例では、パンチ３１を固定側とし、ダイ３３を移動側としたが、これとは逆に、ダイを固定側とし、パンチを移動側とする場合もある。
【０００８】
前記チャンネル部材１ｓの成形においては、絞り成形、曲げ成形のいずれの成形においても、その縦壁部１２が曲げ曲げ戻し変形を受けるため、縦壁部１２の表裏面に引張、圧縮の応力分布が生じ、離型後、この応力が解放されて弾性回復（スプリングバック）により、図４に示すように、縦壁部１２に外側が凹んだ反りを生じる。また、第１曲げ部１４についても成形目標の曲げ角よりも大きくなる。なお、絞り成形は曲げ成形に比して曲げ曲げ戻し変形が大きいため、反りも大きく、成形荷重も曲げ成形に比して大きくなる。
【０００９】
ところが、断面中心線が湾曲したチャンネル部材（このようなチャンネル部材を「湾曲状チャンネル部材」という。）では、チャンネル部材の縦壁部に反りが生じるだけでなく、部材にねじれ（ひねり）が生じるようになる。
図５は、湾曲状チャンネル部材１ｃの成形後のねじれ状態を示す。図５(1) は横壁部１１側から見た湾曲状チャンネル部材１ｃの平面図を、図５(2) は図５(1) のＡ−Ａ線断面（横断面）図を示し、実線は成形後の部材形状を、二点鎖線は最終成形目標形状を示す。湾曲状チャンネル部材１ｃにおいても、最終成形目標形状における横断面は直線状チャンネル部１ｓと同様、図１によって示される。もっとも、図５(2) では湾曲の径方向の外側（湾曲外側）、湾曲の径方向の内側（湾曲内側）の部材を区別するために、横断面における各部位の符号の後に「ｏ」（湾曲外側）、「ｉ」（湾曲内側）の文字が付されている。すなわち、図中、１３ｏは湾曲外側のフランジ部を、１３ｉは湾曲内側のフランジ部を示す。なお、湾曲外側のフランジ部１３ｏは「縮みフランジ部」と、湾曲内側のフランジ部１３ｉは「伸びフランジ部」という場合がある。
【００１０】
図５(2) で示したねじれ状態は、湾曲状チャンネル部材１ｃの横壁部１１が同一平面（水平面）となるように拘束すべく、横壁部の周方向の両端部を４点支持した状態における、部材のねじれ状態を示している。図中の丸印は拘束点である。ここで、ねじれの方向を以下のように定義する。図例のように、成形後の湾曲外側のフランジ部１３ｏが最終成形目標形状における同フランジ部に対して上方へ離れるようにねじれる場合を「正」、その逆の場合を「負」と定義する。そして成形後の横壁部１１が最終成形目標形状の横壁部１１に対してなす角θｔを「ねじれ角」と呼ぶ。
【００１１】
前記湾曲状チャンネル部材１ｃの成形において、ねじれが生じる原因として種々の説があるが、特開２００６−２５５７４７号公報（特許文献１）には以下の原因が指摘されている。すなわち、成形の際に縮みフランジ部１３ｏおよびその隣接部に生じた圧縮応力、伸びフランジ部１３ｉおよびその隣接部に生じた引張応力、さらに縦壁部１２ｏ，１２ｉに反りを発生させる原因となる応力が相互に関係し合ってねじれが生じる。なお、湾曲外側に圧縮応力が、湾曲内側に引張応力が生じるのは、特許文献１（図７）に示されているように、成形の際に扇状の金属素板が金型へ流入して成形されることによる。
【００１２】
前記湾曲状チャンネル部材１ｃの縦壁部１２の反りは、チャンネル部材の高さがフランジ部の幅に比して大きいほど増大し、正方向のねじれが生じる。このため、一般的な湾曲状チャンネル部材では、正のねじれが生じる。また、平成１７年度塑性加工春季講演会論文集、ｐ１３７〜１３８（非特許文献１）に記載されているように、素板の強度が高いほど、その正方向のねじれも大きくなり、また湾曲状チャンネル部材を曲げ成形する場合よりも絞り成形する場合の方がねじれの程度は大きくなる。
【００１３】
前記湾曲状チャンネル部材のねじれを抑制する方法としては、例えば、前記特許文献１に記載されているように、湾曲状チャンネル部材の周方向両端から周方向長さの１／４の部位から端部までの領域における縦壁部の反りを抑制することが有効である。また、チャンネル部材が湾曲状チャンネル部材の両端に直線状チャンネル部材が連成されたものでは、湾曲状チャンネル部材の周方向両端から周方向長さの１／４の部位から直線状チャンネル部材の端部までの領域に対して縦壁部の反りを抑制することが有効である。なお、このように湾曲状チャンネル部材と直線状チャンネル部材とが一体的に連成されたチャンネル部材においては、前記湾曲状チャンネル部材を「湾曲状チャンネル部」と、直線状チャンネル部材を「直線状チャンネル部」ということがある。
【００１４】
一方、特開２００６−１５４０４号公報（特許文献３）には直線状チャンネル部材の成形方法について、縦壁部の反りが効果的に抑制される曲げ成形方法が提案されている。この曲げ成形方法（以下、「２段曲げ成形方法」という。）は、第１成形工程によって仮成形体を曲げ成形した後、第２成形工程により前記仮成形体から最終成形目標形状（製品の設計形状）の成形品を成形する方法である。
【００１５】
図６に示すように、仮成形体１ｓａは、最終成形目標形状の直線状チャンネル部材１ｓの各部に対応するように、仮横壁部１１ａの両側に仮第１曲げ部１４ａを介して仮縦壁部１２ａが形成され、前記仮縦壁部１２ａの他端に仮第２曲げ部１５ａを介して仮フランジ部１３ａが形成されたものである。前記仮横壁部１１ａの幅Ｗa'は、最終成形目標形状のチャンネル部材１ｓの横壁部１１の幅Ｗ’より２×ΔＷ長く設定される。前記仮第１曲げ部１４ａの曲げ角θｐａは、最終成形目標形状（図１参照）の第１曲げ角θｐよりも１５°〜６０°程度大きく設定される。また、前記仮第２曲げ部の曲げ半径ｒｄａおよび曲げ角θｄａは、最終成形目標形状のｒｄ、θｄと同等に設定され、仮フランジ部１３ａも最終成形目標形状のフランジ部１３と同幅に形成される。最終成形目標形状のθｐが９０°の場合、θｐａは１０５°〜１５０°、好ましくは１３０°〜１４０°程度に設定される。なお、図６は仮成形体１ｓａの成形目標形状（設計形状）を示している。成形目標形状は成形終了時点において、金型が下死点にあって、成形体が成形金型に拘束された状態にあるときの形状である。
【００１６】
前記仮成形体１ｓａの成形終了時（下死点）における金型による成形状態を図７に示す。この第１成形用金型は、仮フランジ部成形溝を有するダイ４１と、前記仮フランジ部成形溝に係合して仮縦壁部１２ａおよび仮フランジ部１３ａを曲げ形成するパンチ４２を有し、成形中に金属素板Ｂを位置決めする板押さえ４３を備えている。この仮成形体の成形の際に、特許文献３（図６参照）に記載されているように、仮縦壁部１２ａに「踊り」と呼ばれる変形が生じて、縦壁部の反りが抑制される。
【００１７】
第２成形工程では、図８に示すように、前記仮第１曲げ部１４ａの仮横壁部１１ａ側の曲げ止め端をダイ４５の横壁成形部の曲げ止め端からΔＷをずらせた状態で、曲げ刃４６を下降し、ダイ４５の縦壁成形面に沿って仮第１曲げ部１４ａの一部を曲げ戻して、最終成形目標形状の縦壁部１２の上端部を形成するように成形する。成形に際して、仮成形体１ａは板押さえ４７によってダイ４５の横平坦面にその仮横壁部１１ａが押しつけられて位置決めされる。前記ΔＷ、仮第１曲げ部１４ａの曲げ半径ｒｐａを適宜設定することにより、第２成形工程において、仮第２曲げ部１４ａの一部が曲げ戻されて縦壁部１２の上端部となる領域を調整することができる。これにより従来、第１曲げ部１４の曲げ角に生じていたスプリングバックに起因した角度変位を抑制することができる。
【特許文献１】特開２００６−２５５７４７号公報
【特許文献２】特開２００６−１５４０４号公報
【非特許文献１】平成１７年度塑性加工春季講演会論文集、ｐ１３７〜１３８
【発明の開示】
【発明が解決しようとする課題】
【００１８】
近年、二酸化炭素排出の抑制、燃費向上の観点から自動車等の構造部材に対して車体の軽量化がより強く望まれており、構造部材がより強度の高い高強度材で製作される傾向にある。素板として高強度材を用いてチャンネル部材を成形する場合、絞り成形あるいは図３に示す一工程による曲げ成形では成形荷重が大きく、成形が困難となる。これに対して、前記２段曲げ成形方法によれば、高強度材でも比較的容易に曲げ成形することができる。また、前記２段曲げ成形方法では、チャンネル部材の縦壁部の反りを好適に抑制することができるため、湾曲状チャンネル部材の曲げ成形に対しても有効な方法と考えられる。
【００１９】
ところが、発明者らが前記２段曲げ成形方法によって湾曲状チャンネル部材を曲げ成形したところ、縦壁部の反りが抑制されて正方向のねじれの発生が防止されたが、これとは反対に負方向のねじれが発生することが明らかとなった。これは、第２成形工程の成形終了時（下死点）において、縮みフランジ部およびその隣接部の湾曲の周方向に生じた圧縮応力、並びに伸びフランジ部およびそれらの隣接部の湾曲の周方向に生じた引張応力が十分に解消されないことに起因するものである。
【００２０】
また、第２成形工程において、図９に示すように、成形の途中で縮みフランジ部側の縦壁部１２ｏが周方向に沿って折れ曲がり、成形後、縦壁部１２に折れ曲がりに起因した折れ筋が残存する。また、図１０に示すように、成形終了直前（下死点より５mm程度上）に縮みフランジ部に周方向に沿って激しいしわが生じ、成形後にこれが圧潰されてフランジ部にしわ痕が残存することが分かった。
【００２１】
本発明はかかる問題点に鑑みなされたものであり、２段曲げ成形方法により湾曲状チャンネル部を含むチャンネル部材を曲げ成形する際に、負方向のねじれを抑制することができる曲げ成形方法、さらには縮みフランジ部側の縦壁部に生じる折れ筋やしわ痕の発生を抑制することができる曲げ成形方法を提供することを目的とする。
【課題を解決するための手段】
【００２２】
本発明者は、湾曲状チャンネル部を含むチャンネル部材を２段曲げ成形するに際し、その仮成形体の仮湾曲状チャンネル部における湾曲外側の仮第１曲げ部の曲げ角を種々変えた仮成形体を用いて第２成形を行った場合の変形挙動を有限要素法に基づいてコンピュータ解析した結果、仮湾曲状チャンネル部の中央部における湾曲外側の第１曲げ部の曲げ角βｃを仮湾曲状チャンネル部の周方向端部における湾曲外側の仮第１曲げ部の曲げ角βｅよりも小さく設定することにより、チャンネル部材の負方向のねじれを抑制することができることを知見した。さらに、ねじれの抑制だけでなく、湾曲状チャンネル部の湾曲外側の縦壁部の折れ筋や縮みフランジ部のしわ痕の発生を抑制できることを知見した。本発明はかかる知見を基になされたものである。
【００２３】
すなわち、本発明のチャンネル部材の曲げ成形方法は、横壁部の両側に第１曲げ部を介して縦壁部が形成され、前記縦壁部の他端に第２曲げ部を介してフランジ部が形成された横断面形状を有し、断面中心線が湾曲状とされた湾曲状チャンネル部を備えたチャンネル部材の曲げ成形方法であって、前記チャンネル部材の横壁部、第１曲げ部、縦壁部、第２曲げ部及びフランジ部にそれぞれ対応する仮横壁部、仮第１曲げ部、仮縦壁部、仮第２曲げ部及び仮フランジ部を有し、前記仮横壁部と仮縦壁部とのなす角すなわち仮第１曲げ部の曲げ角θｐａが前記横壁部と縦壁部とのなす角すなわち第１曲げ部の曲げ角θｐよりも大きく設定された仮成形体を金属素板から曲げ成形する第１成形工程と、前記仮成形体から前記チャンネル部材を曲げ成形する第２成形工程を備え、前記仮成形体は前記チャンネル部材の湾曲状チャンネル部に対応した前記仮成形体の仮湾曲状チャンネル部の中央部における湾曲の径方向外側（すなわち湾曲外側）の仮第１曲げ部の曲げ角βｃが前記仮湾曲状チャンネル部の周方向端部における湾曲の径方向外側（すなわち湾曲外側）の仮第１曲げ部の曲げ角βｅよりも小さく設定される。
【００２４】
この成形方法によると、βｃ＜βｅとなるように金属素板から曲げ成形した仮成形体を用いて第２成形を行うので、第２成形後のチャンネル部材の負方向のねじれが抑制される。さらに、第２成形の途中に湾曲状チャンネル部の湾曲外側の縦壁部に生じる折れが抑制されると共に、成形の終期に湾曲状チャンネル部の湾曲外側のフランジ部（縮みフランジ部）に生じるしわを抑制することができる。このため、成形後にチャンネル部材の表面に折れやしわの圧潰に起因した表面欠陥の発生を防止することができる。上記のように仮第１曲げ部の曲げ角をβｃ＜βｅに設定することにより、第２成形の際にねじれや折れ、しわの発生を防止するメカニズムは必ずしも明らかではないが、上記角度関係を備えた仮成形体を曲げ成形すると、仮成形体から湾曲状チャンネル部を成形する際に、湾曲外側の縦壁部あるいはフランジ部において湾曲の中央部から周方向へと材料の流動が生じ、湾曲外側の縦壁部やフランジ部における周方向の圧縮応力の残留が抑制されるためと考えられる
【００２５】
また、前記第１成形工程において成形する仮成形体には、前記仮湾曲状チャンネル部の湾曲の径方向内側における仮縦壁部あるいはさらに仮フランジ部に湾曲の周方向断面が凹凸形状とされたビードを成形することができる。このビードの成形は、上記仮第１曲げ部の曲げ角の設定と複合して、あるいは単独で実施することができる。
【００２６】
このようなビードを湾曲外側の仮縦壁部あるいはさらに仮フランジ部に成形しておくことにより、第２成形の際に前記ビードが圧潰され、湾曲内側のフランジ部およびその隣接領域生じる引張応力を緩和することができる。このため、成形後のチャンネル部材の負方向のねじれを軽減することができる。
【００２７】
前記チャンネル部材は、前記湾曲状チャンネル部の両側に断面中心線が直線状とされた直線状チャンネル部を有する形態とすることができる。この場合、前記仮成形体は、前記直線状チャンネル部に対応した前記仮成形体の仮直線状チャンネル部における湾曲の径方向外側の仮第１曲げ部の曲げ角をβｓとするとき、前記βｅを前記βｓよりも小さく設定することができる。
【発明を実施するための最良の形態】
【００２８】
図１１は、実施形態に係るチャンネル部材の平面形状（最終成形目標形状）を示しており、このチャンネル部材は湾曲状チャンネル部１ｃと、その周方向の両端に連成された直線状チャンネル部１ｓとを備えている。前記湾曲状チャンネル部１ｃ、直線状チャンネル部１ｓの横断面は、図１と同様のハット形チャンネル形状をしている。このため、直線状チャンネル部１ｓ、湾曲状チャンネル部１ｃは、それぞれ図１の直線状チャンネル部材１ｓ、図５の湾曲状チャンネル部材１ｃと同符号を用い、またその構成部分である横壁部１１、縦壁部１２、フランジ部１３、第１曲げ部１４、第２曲げ部１５についても図１と同じ符号を用いることにする。同様に、前記第１曲げ部１４の曲げ角をθｐ、第２曲げ部の曲げ角１５をθｄで表す。
【００２９】
前記湾曲チャンネル部１ｃについて、湾曲外側と湾曲内側の構成部分を区別するときは、図５に示した湾曲状チャンネル部材と同様に、湾曲外側の部分の符号の末尾に「ｏ」を、湾曲内側の部分の符号の末尾に「ｉ」を付すことにする。また、直線状チャンネル部１ｓについても、前記湾曲状チャンネル部１ｃの湾曲中心から見て外側（この場合も「湾曲外側」という。）の部分の符号の末尾に「ｏ」を、湾曲中心から見て内側（この場合も「湾曲内側」という。）の部分の符号の末尾に「ｉ」を付すことにする。従って、図１１に示すように、湾曲状チャンネル部１ｃの湾曲外側のフランジ部は１３ｏで、湾曲内側のフランジ部は１３ｉで表される。同様に直線状チャンネル部１ｓについても湾曲外側のフランジ部は１３ｏで、湾曲内側のフランジ部は１３ｉで表される。また、湾曲状チャンネル部１ｃの湾曲した断面中心線を「湾曲中心線」といい、その曲率半径をＲで表し、湾曲チャンネル部１ｃの周方向の両端を挟む、曲率中心（湾曲中心）周りの角を「湾曲中心角」といい、θｃで表す。Ｌｓは直線状チャンネル部１ｓの長さである。
【００３０】
実施形態に係るチャンネル部材の曲げ成形方法は、従来の直線状チャンネル部材についての２段曲げ成形方法と同様、平面が扇形状の金属素板を曲げ成形して中間材である仮成形体を曲げ成形する第１成形工程と、前記仮成形体を曲げ成形して最終成形目標形状のチャンネル部材を成形する第２成形工程とから構成される。なお、本発明の曲げ成形方法も成形金型を用いた成形動作自体は従来と基本的には同様であるので、２段曲げ成形方法と呼ぶ。
【００３１】
前記仮成形体は、前記チャンネル部材の湾曲状チャンネル部１ｃの元になる仮湾曲状チャンネル部１ｃａと、その両側に連成された、前記直線状チャンネル部１ｓの元になる仮直線状チャンネル部１ｓａとを備える。前記仮直線状チャンネル部１ｓａの周方向端部の横断面（図１１のＢ線断面に対応する仮成形体の横断面。但し、端部という場合、その末端でもよい。）を図１２(1) に、仮湾曲状チャンネル部１ｃａの中央部の横断面（図１１のＡ線断面に対応する仮成形体の横断面。但し、端部という場合、その末端でもよい。）を図１２(2) に示す。図１２（仮成形体の成形目標形状）に示すように、前記仮湾曲状チャンネル部１ｃａ、仮直線状チャンネル部１ｓａは、それぞれ仮横壁部１１ａと、その両端から仮第１曲げ部１４ａｏ，１４ａｉを介して形成された仮縦壁部１２ａｏ，１２ａｉと、前記仮縦壁部１２ａｏ，１２ａｉの他端に仮第２曲げ部１５ａｏ，１５ａｉを介して形成された仮フランジ部１３ａｏ，１３ａｉを有する。仮成形体についても、湾曲外側と湾曲内側の構成部分を区別するため、湾曲外側の部分の符号の末尾には「ｏ」を、湾曲内側の部分の符号の末尾には「ｉ」を付した。なお、湾曲外側、内側を区別する必要がない場合は「ｏ」、「ｉ」の添え字を省略することにする。
【００３２】
前記仮横壁部１１ａの幅Ｗａ’は、最終成形目標形状の横壁部１１の幅Ｗ’に対して２×ΔＷだけ長く設定され、仮第２曲げ部１５ａの曲げ角θｄａ、仮フランジ部１３ａの幅は最終成形目標形状の第２曲げ部１５の曲げ角θｄ、フランジ部１３の幅と同様に設定される。また、前記ΔＷは、通常、仮第１曲げ部１４ａの一部が曲げ戻されて最終成形目標形状の縦壁部１２の上端部を形成するように設定される。前記上端部を形成する、仮第１曲げ部１４ａの曲げ戻される長さとしては、ｒｐ／５〜ｒｐ／２程度（ｒｐ：最終成形目標形状の第１曲げ部１４の曲げ半径）が好ましい。
【００３３】
一方、仮第１曲げ部１４ａの曲げ角θｐａの内、仮湾曲状チャンネル部１ｃａの湾曲外側の中央部のθｐａをβｃと、仮直線状チャンネル部１ｓａの湾曲外側の周方向端部のθｐａをβｓで表すとき、図１２に示すように、βｃ＜βｓに設定する。好ましくは、βｓ＝βｃ＋αとするとき、α＝１０°〜３０°に設定するのがよい。また、湾曲外側において、仮湾曲状チャンネル部１ｃａの中央部から仮直線状チャンネル部１ｓａの周方向端部の間においては、θｐａは滑らかに変化するように設定する。これにより仮湾曲状チャンネル部１ｃａにおける周方向端部（図１１のＣ線断面に対応する仮湾曲状チャンネル部の端部）における湾曲外側のθｐａをβｅとするとき、βｃ＜βｅ＜βｓとなる。また、前記βｓ、仮湾曲状チャンネル部１ｃａ及び仮直線状チャンネル部１ｓａの湾曲内側のθｐａについては、最終成形目標形状の第１曲げ部１４の曲げ角θｐに対して、（θｐ＋１５°）〜（θｐ＋６０°）程度、好ましくは（θｐ＋３５°）〜（θｐ＋５５°）程度に設定する。なお、θｐａを上記のようにθｐよりも大きく設定することにより、縦壁部の反りは抑制されるので、第１曲げ部１４の曲げ角θｐの角度を厳密に制御する必要がない場合は前記ΔＷをゼロとしてもよい。
【００３４】
次に、従来の２段曲げ成形と同様、第２成形工程において、前記仮成形体を曲げ成形して最終成形目標形状のチャンネル部材を得る。第２成形において、前記仮湾曲状チャンネル部１ｃａおよび仮直線状チャンネル部１ｓａのそれぞれの仮第１曲げ部１４ａが曲げ戻されて、前記湾曲状チャンネル部１ｃおよび直線状チャンネル部１ｓのそれぞれの縦壁部１２の上端部を形成する。
【００３５】
上記のとおり、第１成形工程において成形した仮成形体の仮湾曲状チャンネル部１ｃａの湾曲外側の仮第１曲げ部１４ａの曲げ角βｃは、仮直線状チャンネル部１ｓａの湾曲外側の第１曲げ部１４ａの曲げ角βｓよりも小さく設定されている。このため、この仮成形体を第２成形する際、仮湾曲状チャンネル部１ｃａの湾曲外側において、中央部から周方向外側への材料の流動が生じるようになり、チャンネル部材の湾曲状チャンネル部１ｃの負方向のねじれが抑制され、また、湾曲状チャンネル部１ｃの湾曲外側の縦壁部１２ｏの折れやフランジ部１３ｏのしわの発生が防止される。
【００３６】
上記実施形態のように、仮成形体の湾曲外側の仮第１曲げ部の曲げ角を調整して、第２成形することにより、チャンネル部材の負方向のねじれが抑制されるが、さらに、図１３に示すように、仮成形体の成形の際に、仮湾曲状チャンネル部１ｃａの湾曲内側の仮縦壁部１２ａｉ、あるいはさらに仮フランジ部１３ａｉに周方向に沿って凹凸状とされたビードを成形することにより、チャンネル部材の負方向のねじれをより一層抑制することができる。前記ビードの凹凸形状は、図のように方形状の凹凸に限らず、円弧状（波形）の凹凸でもよい。なお、図１３は、仮湾曲状チャンネル部１ｃａを直線状に展開して表示したものである。
【００３７】
前記ビードを成形することにより、仮湾曲状チャンネル部１ｃａにおける仮縦壁部１２ａｉの下端（仮第２曲げ部の仮縦壁部側曲げ止め端）における周長（ビードの凹凸と交差する周方向の周長）が、最終成形目標形状における湾曲状チャンネル部１ｃの同部の周長よりも長くなり、第１成形の終了時において、仮第２曲げ部およびその周辺領域に最終成形目標形状を越える大きな伸びが付与される。このため、第２成形により、大きな伸びが付与された湾曲内側の領域に圧縮の塑性変形が付与され、この領域に本来的に発生する引張応力を低減することができる。その結果、チャンネル部材のねじれが抑制される。前記周長は、大き過ぎると成形時にクラックが入るおそれが生じるので、最終成形目標形状の同部の周長の１０％以下で十分であり、好ましくは２〜５％程度の伸びひずみを付与すればよい。
【００３８】
以下、より具体的な成形実施例に挙げて、本発明を説明する。この実施例において、成形対象のチャンネル部材は、図１１に示した湾曲状チャンネル部１ｃの両側に直線状チャンネル部１ｓを連成したものである。成形に用いた金属素板は、板厚１．４mm、強度９８０ＭＰａの冷延鋼板とした。また、成形対象のチャンネル部材（最終成形目標形状）の平面形状は、湾曲状チャンネル部の曲率半径Ｒ＝１０００mm、湾曲中心角θｃ＝１４．４°、直線状チャンネル部の長さＬｓ＝２００mmとした（図１１参照）。また、最終成形目標形状の横断面寸法は、部材幅Ｗ＝１００mm、部材高さＨ＝６０mm、フランジ部幅Ｌｆ＝２０mm、第１，第２曲げ部の曲げ角θｐ＝θｄ＝９０°、第１，第２曲げ部の曲げ半径ｒｐ＝ｒｄ＝５mmとした（図１参照）。また、基本形として定めた仮成形体の成形目標形状の横断面寸法は、仮横壁部の幅Ｗａ’＝最終成形目標形状の横壁部の幅Ｗ’（９０mm）＋１０mm（ΔＷ＝５mm）、仮第１，仮第２曲げ部の曲げ半径ｒｐａ＝ｒｄａ＝５mm、仮フランジ部幅Ｌｆａ＝２０mm、仮第２曲げ部の曲げ角θｄａ＝９０°、仮第１曲げ部の曲げ角θｐａの内、仮湾曲状チャンネル部の湾曲外側の曲げ角βｃ＝１１０°、仮直線状チャンネル部の湾曲外側の曲げ角βｓ＝１３５°、その他のθｐａ＝１３５°に設定した（図１２参照）。
【００３９】
また、仮成形体の基本形に対して、仮湾曲状チャンネル部の湾曲内側に図１３に示したビードを追加形成したものも計画した（このタイプの仮成形体を「ビード付き基本形」と呼ぶ。）。前記ビードの周長（仮縦壁部の下端における周長）は、最終成形目標形状の湾曲状チャンネル部の同部位における周長の１．０２倍（周長の増分２％）となるように、ビードの凹凸を設けた。また、仮成形体の基本形に対して、全てのθｐａを１３５°として、前記ビードのみを形成したものも成形対象とした（このタイプの仮成形体を「ビード単独形」と呼ぶ。）。さらに、比較のため、仮成形体の基本形に対して、ビードを形成することなく、全てのθｐａを１３５°としたものも成形対象とした（このタイプの仮成形体を「従来形」と呼ぶ。）。
【００４０】
上記各タイプの仮成形体を第１成形し、得られた仮成形体を用いて第２成形し、最終的に得られたチャンネル部材の各部位（第１曲げ部の横壁部側曲げ止め端、第２曲げ部のフランジ部側曲げ止め端、フランジ部の先端）の変位を有限要素法を用いてコンピュータ解析した。その結果を図１４（湾曲状チャンネル部の中央部での横断面）に示す。図１４(1) はビード単独形、(2) は基本形、(3) はビード付き基本形、(4) は従来形の仮成形体を用いて成形した結果である。なお、図１４では各タイプの変形状態と共に最終成形目標形状も併せて示した。同図より、従来形では、負のねじれが生じていたが、ビード単独形および基本形ではねじれがかなり抑制され、さらに基本形にビード形を付加したビード付き基本形では、部材のねじれはほぼ解消され、各部位の変位も他のタイプに比して小さいことが確認された。図中の矢印は負のねじれ方向を示す。
【００４１】
また、従来形の仮成形体を用いて成形したチャンネル部材の応力分布を図１５、図１６に示す。同図では応力の正負（正：引張応力、負：圧縮応力）、強弱は表示されていないが、実際の解析結果では、応力の正負、強弱はカラーマップされて表示された。図１５から湾曲内側では湾曲状チャンネル部のフランジ部を中心に、中心部ほど大きい引張応力が残存していることが確認された。また、図１６から湾曲外側では湾曲状チャンネル部のフランジ部を中心に、中心部ほど大きい圧縮応力が残存していることが確認された。
【００４２】
次に、下記のように、βｃ、βｓを種々変えた仮成形体を用いて第２成形したチャンネル部材について、同様にコンピュータによる数値解析により第２成形における湾曲状チャンネル部の湾曲外側の縦壁部における折れ、湾曲外側のフランジ部におけるしわの発生状態を調べた。なお、検討対象にした仮成形体の形状は下記βｃおよびβｓを除いて上記基本形の仮成形体と同形である。
仮成形体１：βｓ＝１３５°、βｃ＝１４５°（比較例）
仮成形体２：βｓ＝１３５°、βｃ＝１３５°（従来例）
仮成形体３：βｓ＝１３５°、βｃ＝１２５°（発明例）
仮成形体４：βｓ＝１３５°、βｃ＝１１０°（発明例）
【００４３】
折れの具合は、下死点から３０mm上における、湾曲状チャンネル部の湾曲外側における縦壁部に生じた折れ角ψの大きさによって評価した。前記折れ角ψは、図９に示すように、第２成形により屈曲することなく成形された縦壁部の成形面と、屈曲した縦壁部の未成形面とのなす角を意味する。また、しわの具合は、下死点から５mm上での湾曲状チャンネル部の湾曲外側のフランジ部の先端の周長から最終成形目標形状における同先端の周長を引いた、しわによる余剰周長ΔＬによって評価した。なお、数値解析における下死点から５mm程度上におけるしわと、実際にプレス成形して生じたしわとは一般的にしわの程度がよく一致することが知られている。
【００４４】
解析結果を図１７（折れ抑制効果）、図１８（しわ抑制効果）に示す。同図より、（βｓ−βｃ）を１０°以上、好ましくは１３°以上、より好ましくは１５°以上とすることにより好適な抑制効果が得られることが確認された。なお、成形上、（βｓ−βｃ）は３０°程度以下に設定することが好ましい。
【００４５】
上記実施形態では、仮湾曲状チャンネル部１ｃａの中央部におけるβｃを仮直線状チャンネル部１ｓａの端部におけるβｓより小さく設定したが、前記βｃを仮湾曲状チャンネル部１ｃａの周方向端部におけるβｅより小さく設定し、βｅ＝βｓとして、βｓおよびその他のθｐａを共通にして、チャンネル部材の成形目標形状のθｐより大きく設定してもよい。
【００４６】
また、上記実施形態は、図１１に示した湾曲状チャンネル部１ｃの両側に直線状チャンネル部１ｓを連成した、ねじれが顕著に現れるチャンネル部材について説明したものであるが、本発明の成形対象としては、上記チャンネル部材に限らず、例えば図５に示した湾曲状チャンネル部のみからなるもの（湾曲状チャンネル部材）でもよい。この場合、仮湾曲状チャンネル部の中央部のβｃを周方向端部のβｅよりも小さく設定すればよい。図１２(1) は、このような湾曲状チャンネル部材の仮成形体における周方向端部における横断面（図１１のＣ線断面に対応する仮成形体の横断面）をも示している。但し、βｅは括弧書きで示した。もちろん、仮成形体の湾曲内側の仮縦壁部や仮フランジ部にビードを仮第１曲げ部の曲げ角の制御と共に、あるいは単独に成形してもよい。
【図面の簡単な説明】
【００４７】
【図１】ハット形チャンネル部材の横断面図である。
【図２】ハット形チャンネル部材の絞り成形説明図である。
【図３】ハット形チャンネル部材の曲げ成形説明図である。
【図４】直線状チャンネル部材の成形後の壁反り状態を示す斜視図である。
【図５】湾曲状チャンネル部材の成形後のねじれ状態を示す(1) 平面図、及び(2) 前記(1) 図のＡ−Ａ線断面図である。
【図６】直線状チャンネル部を２段曲げ成形する際の仮成形体の横断面図である。
【図７】２段曲げ成形における第１成形工程の成形状態を示す半部説明図である。
【図８】２段曲げ成形における第２成形工程の成形状態を示す半部説明図である。
【図９】湾曲状チャンネル部の湾曲外側の縦壁部に生じた折れの発生状況を示す説明図である。
【図１０】湾曲状チャンネル部の湾曲外側のフランジ部に生じたしわの発生状況を示す説明図である。
【図１１】実施形態に係るチャンネル部材の平面図である。
【図１２】実施形態に係る仮成形体の(1) 仮直線状チャンネル部の周方向端部、(2) 仮湾曲状チャンネル部の中央部における横断面図である。
【図１３】仮湾曲状チャンネル部の湾曲内側の仮縦壁部およびフランジ部に形成されたビードの展開説明図である。
【図１４】各種仮成形体を用いて成形したチャンネル部材の横断面変位図である。
【図１５】湾曲状チャンネル部を備えたチャンネル部材の湾曲内側の応力分布状態を示す説明図である。
【図１６】湾曲状チャンネル部を備えたチャンネル部材の湾曲外側の応力分布状態を示す説明図である。
【図１７】実施例の仮成形体における仮湾曲状チャンネル部の湾曲外側の仮第１曲げ部の曲げ角βｃおよび仮直線状チャンネル部の湾曲外側の湾曲外側の仮第１曲げ部の曲げ角βｓと、仮成形体の成形時に湾曲外側の縦壁部に生じた折れ角との関係を示すグラフである。
【図１８】実施例の仮成形体における仮湾曲状チャンネル部の湾曲外側の仮第１曲げ部の曲げ角βｃおよび仮直線状チャンネル部の湾曲外側の湾曲外側の仮第１曲げ部の曲げ角βｓと、仮成形体の成形時に湾曲外側のフランジ部に生じたしわに起因する余剰周長との関係を示すグラフである。
【符号の説明】
【００４８】
１ｃ  湾曲状チャンネル部、１ｓ  直線状チャンネル部、１１  横壁部、１２  縦壁部、１３  フランジ部、１４  第１曲げ部、１５  第２曲げ部、θｐａ  第１曲げ部の曲げ角、１ｃａ  仮湾曲状チャンネル部、１ｓａ  仮直線状チャンネル部、１１ａ  仮横壁部、１２ａ  仮縦壁部、  １３ａ  仮フランジ部、βｃ  仮湾曲状チャンネル部の湾曲外側の第１曲げ部の曲げ角、βｓ  仮直線状チャンネル部の湾曲外側の第１曲げ部の曲げ角
【図１】
2009241109.tif 000003
【図２】
2009241109.tif 000004
【図３】
2009241109.tif 000005
【図４】
2009241109.tif 000006
【図５】
2009241109.tif 000007
【図６】
2009241109.tif 000008
【図７】
2009241109.tif 000009
【図８】
2009241109.tif 000010
【図９】
2009241109.tif 000011
【図１０】
2009241109.tif 000012
【図１１】
2009241109.tif 000013
【図１２】
2009241109.tif 000014
【図１３】
2009241109.tif 000015
【図１４】
2009241109.tif 000016
【図１５】
2009241109.tif 000017
【図１６】
2009241109.tif 000018
【図１７】
2009241109.tif 000019
【図１８】
2009241109.tif 000020